(57)【要約】【課題】  釣り操作時の仕舞処理に有効に活用でき、かつ、バランスウエイトとして機能も発揮する振出竿用栓体を提供する。【解決手段】  元竿４の竿先端側開口の取付面４Ａに取付られる竿先用装着部５Ｂと、元竿４の竿元端に装着される尻栓７の取付面に取付固定される尻栓用取付部５Ｃとを備える。  尻栓用取付部５Ｃと尻栓の取付面とに形成される尻栓側装着機構としてネジ式螺合機構が採用され、竿先用装着部５Ｂと元竿４の竿先端側開口の取付面４Ａとに形成される竿先側装着機構としての圧接機構が、異なる機構となっている。【選択図】        図３
2018078851.tif 000002
【特許請求の範囲】
【請求項１】
元竿の竿先端側開口の取付面に取付られる竿先用装着部と、前記元竿の竿元端に装着される尻栓の取付面に取付固定される尻栓用取付部とを備え、
前記尻栓用取付部と前記尻栓の取付面とに形成される尻栓側装着機構と、前記竿先用装着部と前記元竿の竿先端側開口の取付面とに形成される竿先側装着機構とが、異なる機構を備えている振出竿用栓体。
【請求項２】
前記尻栓側装着機構が前記尻栓用取付部と前記尻栓の取付面とにネジ部を形成した螺着式であるのに対して、前記竿先側装着機構が前記竿先用装着部と前記元竿の竿先端側開口の取付面とに互いに圧接する面を形成した圧接式である請求項1記載の振出竿用栓体。
【請求項３】
前記尻栓側装着機構が前記尻栓用取付部と前記尻栓の取付面との取付状態が係合ピンとその係合ピンを係合誘導する螺旋溝を形成した螺着式であるのに対して、前記竿先側装着機構が前記竿先用装着部と前記元竿の竿先端側開口の取付面とに互いに圧接する面を形成した圧接式である請求項1記載の振出竿用栓体。
【請求項４】
前記栓体が、小径側竿体を大径の前記元竿内に収納した状態でその元竿の竿先端側開口に装着されるとともに、小径側竿体を大径の前記元竿から引き出した伸長状態で前記尻栓に装着されるものである請求項1〜３のうちのいずれか一項に記載の振出竿用口栓。
【請求項５】
前記口栓とその口栓を装着可能な前記尻栓を備えた請求項４記載の振出竿。
【発明の詳細な説明】
【技術分野】
【０００１】
本発明は、複数本の竿体を伸縮可能に備える振出式の渓流竿等に使用されるものであって、穂先竿から元上竿までの小径側竿体を収納した元竿の竿先端側開口に取付られて口栓として機能する状態と、尻栓に取付られる状態とに切り換え装着可能な振出竿用栓体に関する。
【背景技術】
【０００２】
上記振出竿用栓体は、振出竿が釣り場への往路又は復路で釣り人に付帯されて移動する際に、或いは、所有者の所定場所に収納される際に、前記した元竿の竿先端側開口に取付られて、穂先竿等の複数本の小径側竿体が元竿から突出しないように口栓として機能するものである。
一方、釣り場において釣り操作をする場合には、口栓を取り外し小径側竿体を元竿より引き出して行うものであるが、その口栓を釣り人がポケットや釣り道具ケース等に収納するのが一般的であり、紛失し易く、仕舞処理に苦慮していた。
そこで、その口栓を尻栓に装着するものがあった。（特許文献１、２参照）。
【先行技術文献】
【特許文献】
【０００３】
【特許文献１】実開平４−１３６０６８号公報（図２、３）
【特許文献２】特開２０１５−１１２１０８号公報（図８〜図１０）
【発明の概要】
【発明が解決しようとする課題】
【０００４】
上記した構成においては、口栓を釣り操作時には、尻栓に取付ていた。従って、釣り操作時に口栓の仕舞に苦慮することはなくなった。
口栓は大径の摘み部とその先端側に小径の円柱状の装着部を備え、口栓を元竿の竿先端開口に取り付ける場合や尻栓に取り付ける場合の何れの場合にも、小径の円柱状の装着部を使用して、その小径の円柱状の装着部を元竿の竿先端側開口内や尻栓の内部空間内に差し込み、圧接保持する形態をとっていた。
その為に、元竿の竿先端側開口に取り付けて口栓として使用する場合に、小径側竿体等が突出しない程度に、かつ、釣りを始める場合には比較的取り外し易い圧接力に設定することが、使い易い口栓であると考えられる。
一方、上記するような尻栓に取付ける場合に、強い圧接力を発揮させて取り付けることが必要であり、竿を振って釣り操作をする場合に、外れ難いものであることが重要である。
しかし、小径の円柱状の装着部を元竿の竿先端側開口内や尻栓の内部空間内に差し込み、圧接保持する形態をとっているために、
（ａ）小径側竿体等が突出しない程度に、かつ、釣りを始める場合には比較的取り外し易い圧接力に設定する場合と、
（ｂ）釣り操作時の竿捌き時の振動等にも耐える圧接状態を維持する場合との、
両方の機能を満たすことが小径の円柱状の装着部に要求されることになり、小径の円柱状の装着部の外径をどのように設計・製作するかというに難しい課題が残る欠点がある。
【０００５】
本発明の目的は、上記した（ａ）（ｂ）の機能を満たしながら、釣り操作時の仕舞処理に有効に活用でき、かつ、バランスウエイトとして機能も発揮する振出竿用栓体を提供する点にある。
【課題を解決するための手段】
【０００６】
〔構成〕
請求項１に係る発明の特徴構成は、元竿の竿先端側開口の取付面に取付られる竿先用装着部と、前記元竿の竿元端に装着される尻栓の取付面に取付固定される尻栓用取付部とを備え、
前記尻栓用取付部と前記尻栓の取付面とに形成される尻栓側装着機構と、前記竿先用装着部と前記元竿の竿先端側開口の取付面とに形成される竿先側装着機構とが、異なる機構を備えている点にあり、その作用効果は次の通りである。
【０００７】
〔作用〕
栓体の構成として、竿先用装着部と尻栓用取付部とを備え、それらに異なる機構を有する尻栓側装着機構と竿先側装着機構とを形成する。
このように、夫々、機構を異なるものに設定することによって、元竿の竿先端側開口の取付面に取付られる場合には、竿先用装着部を介してその竿先端側開口に取り付けて、
（ａ）小径側竿体等が突出しない程度に、かつ、釣りを始める場合には比較的取り外し易い圧接力に設定する、ことが可能になる。
一方、尻栓の取付面に取付固定される場合には、尻栓用取付部を介して取り付けて、
（ｂ）釣り操作時の竿捌き時の振動等にも耐える取付状態を維持する、ことが可能になる。
【０００８】
〔効果〕
このように、栓体に竿先用装着部と尻栓用取付部との二つの部分を形成することによって、必要とされる圧接力および取付力を得ることができ、仕舞処理が容易になりながら、口栓として有効で、かつ、口栓の重量を有効に利用するバランスウエイトとしても活用できる振出竿用栓体を提供することができた。
【０００９】
請求項２に係る発明の特徴構成は、前記尻栓側装着機構が前記尻栓用取付部と前記尻栓の取付面とにネジ部を形成した螺着式であるのに対して、前記竿先側装着機構が前記竿先用装着部と前記元竿の竿先端側開口の取付面とに互いに圧接する面を形成した圧接式である点にあり、その作用効果は次の通りである。
【００１０】
〔作用効果〕
竿先側装着機構が圧接式であり、装着しやすくかつ取り外し易い構成をとっているのに対して、尻栓側装着機構がネジ式を採用しているので、竿を振った釣り捌きにおいて外れがたく、栓体を失うことはない。
【００１１】
請求項３に係る発明の特徴構成は、請求項１に係る発明において、前記尻栓側装着機構が前記尻栓用取付部と前記尻栓の取付面との取付状態が係合ピンとその係合ピンを係合誘導する螺旋溝を形成した螺着式であるのに対して、前記竿先側装着機構が前記竿先用装着部と前記元竿の竿先端側開口の取付面とに互いに圧接する面を形成した圧接式である点にあり、その作用効果は次の通りである。
【００１２】
〔作用効果〕
つまり、尻栓側装着機構として、ここでは、係合ピンとその係合ピンを係合誘導する螺旋溝を形成した螺着式を採用した。請求項２で記載したネジ式の変形であり、緩み難い機構であり、前記した（ｂ）の機能を果たすものである。
【００１３】
請求項４に係る発明の特徴構成は、請求項１〜３に係る発明において、前記栓体が、小径側竿体を大径の前記元竿内に収納した状態でその元竿の竿先端側開口に装着されるとともに、小径側竿体を大径の前記元竿から引き出した伸長状態で前記尻栓に装着されるものである点にあり、その作用効果は次の通りである。
【００１４】
〔作用効果〕
栓体の尻栓への取付状態が釣り捌き時にもその振動等によって緩むことがなく外れ難い機構を採用しているので、小径側竿体を大径の前記元竿から引き出した伸長状態で前記尻栓に装着される場合も外れ難く、かつ、栓体に対応する重量を付与して、バランスウエイトとして、機能させることができる。
【００１５】
請求項５に係る発明の特徴構成は、請求項４に係る発明において、前記口栓とその口栓を装着可能な前記尻栓を備えた点にあり、その作用効果は次の通りである。
【００１６】
〔作用効果〕
口栓として機能するものを、釣り操作時には尻栓に取り付けて仕舞処理を良好に行いながら、口栓をバランスウエイトとして使用する振出竿を提供することができた。
【図面の簡単な説明】
【００１７】
【図１】図１は、渓流竿を示す全体側面図である。
【図２】図２は、小径側竿体を元竿内に収納し、元竿の竿先側端部内に口栓を装着した状態を示す縦断側面図である。
【図３】図３は、小径側竿体を元竿から引き出して釣り操作を行う状態を示し、口栓を元竿の竿先側端部から取り外し、尻栓に取り付けた状態を示す一部縦断側面図である。
【図４】図４は、尻栓側装着機構の別実施構造を示す分解斜視図である。
【図５】図５は、尻栓側装着機構の別実施構造を示し、(ａ)は口栓を尻栓に取付所帯を示す縦断側面図、（ｂ）は（ａ）におけるＶｂ−Ｖｂ断面図である。
【図６】図６は、超感度式の糸連結具を示す縦断側面図である。
【発明を実施するための形態】
【００１８】
振出式の渓流竿Ａについて説明する。
振出式の渓流竿Ａは、図１に示すように、穂先竿１、二番竿体２ａ、三番竿体２ｂ、元上竿３からなる小径側竿体と、元竿４、元竿４の後端に尻栓７とを備えて、構成されている。穂先竿１の先端には、釣り糸ａを連結する為の超感度式の糸連結具６を取り付けてあり、穂先竿１の先端開口を閉塞する為に、栓体としての口栓５を装備して構成してある。
渓流竿Ａは、図２に示すように、穂先竿１、二番竿体２ａ、三番竿体２ｂ、元上竿３を元竿４内に収納する収縮状態と、図３に示すように、穂先竿１、二番竿体２ａ、三番竿体２ｂ、元上３を元竿４より引き出した伸長状態とに切換可能に構成されている。
【００１９】
図６に示すように、糸連結具６は、穂先竿１の先端に取付固定されている金属製のホルダー１０と、そのホルダー１０の先端部に回転軸１１Ａを介してその回転軸１１Ａ周りに回転自在に取り付けられている糸連結体１１と、糸連結体１１の両端に設けてある回転ディスク１１Ｂ、１１Ｂとでなり、一方の回転ディスク１１Ｂをホルダー１０の内部空間に載置してその回転ディスク１１Ｂと穂先竿１の先端との間に二つのボウル体１２、１２と滑りワッシャー１３とを介在させて、回転ディスク１１Ｂをホルダー１０に対して相対回転自在支持してある。
【００２０】
穂先竿１等の各竿体は、炭素繊維等の強化繊維を引き揃え、その引き揃えた強化繊維群に、エポキシ等の熱硬化性樹脂を含浸させて形成したプリプレグを所定の形状に裁断し、その裁断したメインパターンをマンドレルに巻回し、巻回したものを焼成して、所定の寸法に切断して、形成される。
【００２１】
但し、穂先竿１としては、図６に示すように、忠実棒状体に形成してもよい。つまり、強化繊維としては、炭素繊維等に比べて柔軟性の高いガラ ス繊維が使用される。その製造方法は、ガラス繊維の束を形成し、この束状のガラス繊維群を、熱硬化性樹脂を収納したタンク内に浸漬して熱硬化性樹脂をそのガラス繊維群に含浸させ、熱硬化性樹脂を含浸させたガラス繊維群にダイスで絞りを加えて、所望の径に成型し、その後所定長さに細断して表面研磨を行って中実棒状の竿体を形成する。
【００２２】
口栓５の構成について説明する。
図２に示すように、口栓５は、その外周面に、前端側から後端側に掛けて、大径の摘まみ操作部５Ａと、元竿４の竿先端側開口の取付面４Ａに取付られる中間径の竿先用装着部５Ｂと、元竿４の竿元端に装着される尻栓７の取付面に取付固定される小径の尻栓用取付部５Ｃとしての雄ネジ部５ａを形成して構成されている。口栓５の穂先竿１に向う面には、穂先竿１の先端に取り付けられた糸連結具６との干渉を回避する為の凹入部５Ｄが形成されている。
【００２３】
図２に示すように、口栓５の竿先用装着部５Ｂである中間径の外周面を、元竿４の竿先端側開口の取付面４Ａである内周面に軽く圧接する状態で取り付けることによって、前記した「(ａ)  小径側竿体等が突出しない程度に、かつ、釣りを始める場合には比較的取り外し易い圧接力に設定する、ことが可能になる。」という機能が発揮される。
ここに、口栓５の竿先用装着部５Ｂが元竿４の竿先端側開口の取付面４Ａに内側から圧接する機構を竿先側装着機構と称する。
【００２４】
口栓５はゴム製のものであり、アクリロニトリルーブタジエンゴム（ＮＢＲ）を材料とし、硬度としてはＪＩＳ硬さとして３０〜９０のものを使用できる。但し、このゴムに相当する硬度を有するものであれば、合成樹脂を材料とすることもできる。
【００２５】
元竿４の後端部の構成について説明する。図２に示すように、元竿４の外周面の竿元端には、樹脂製の円筒状の鍔体４Ｂが元竿４の後端部を覆うように取付構成され、後端側に向けて延出されている。
鍔体４Ｂの内周面には、雌ねじ式の装着部４ａが形成されている。
元竿４の後端の内側には、ゴム製の保持リング８が内嵌されており、元上竿３の後端部を嵌合保持して、元上竿３を収納状態で保持できるように構成してある。これによって、元上竿３を収納状態と伸長状態に切り替えることができ、渓流竿の全長を切り替えて使用できる。更に、ゴム製保持リング８の内側には、樹脂製の受け止めディスク９が設けてある。
【００２６】
尻栓７の構造について説明する。尻栓７は、鍔体４Ｂに螺着される内側本体部７Ａとその内側本体部７Ａの後端部に螺着されて鍔体４Ｂの後面にＯリングｂを介して圧接される摘み部７Ｂとで構成してある。
内側本体部７Ａは、内部に前空間ｃと後空間ｄが形成され、尻栓７の取付面としての前空間ｃの内周面には、雌ネジ部７ａが形成され、後記するように、口栓５が螺着されるように形成してある。
【００２７】
内側本体部７Ａの外周面には、竿先側に大径の雄ネジ部７ｂが形成され、竿尻側に小径の雄ネジ部７ｃが形成されている。このような構成によって、内側本体部７Ａは、大径の雄ネジ部７ｂを鍔体４Ｂの雌ネジ式の装着部４ａに螺合して、着脱自在な構成をとっている。尻栓７の摘み部７Ｂは、内側本体部７Ａの竿尻側の小径雄ネジ部７ｃに螺合して着脱自在に構成されている。
内側本体部７Ａとしては、ナイロンやＰＢＴ等の樹脂が採用できるが、アルミやチタン等の金属を利用してもよい。
【００２８】
以上のような構成により、図２の状態から口栓５を取り外し、図３に示すように、小径側竿体１、２ａ、２ｂ、３を大径の元竿４から引き出した伸長状態で、尻栓７の空間内に口栓５を差し込み、口栓５の小径の尻栓用取付部５Ｃとしての雄ネジ部５ａを、尻栓７の内側本体部７Ａの雌ネジ部７ａに螺合させて、取付固定する。
このようにネジ止め固定することによって、前記した「（ｂ）釣り操作時の竿捌き時の振動等にも耐える取付状態を維持する、ことが可能になる。」という機能が発揮される。
ここに、口栓５の尻栓用取付部５Ｃとしての雄ネジ部５ａが尻栓７の内側本体部７Ａの雌ネジ部７ａに螺合して尻栓側装着機構を構成する。
【００２９】
〔別実施の形態〕
（１）尻栓側装着機構として係合ピン５Ｅと螺旋溝７ｄの組み合わせによる別実施構造を提案する。図４に示すように、口栓５の尻栓用取付部５Ｃに係合ピン５Ｅを立設するとともに、尻栓７の内側本体部７Ａの内周面に雌ネジ部７ａに代えて螺旋溝７ｄを形成する。
装着する場合は、口栓５を前記した空間ｃ、ｄ内に挿入しながら、螺旋溝７ｄの入り口７ｅより係合ピン５Ｅを差し入れ、その状態から徐々に回転させながら差し込み量を多くしていくと係合ピン５Ｅが螺旋溝７ｄに沿って奥まで入っていき、螺旋溝７ｄの奥で停止し、口栓５が抜け止め固定される。螺旋溝７ｄの終端では、円周方向に向かうように溝を形成すれば、係合ピン５Ｅが軸線方向に動き難く口栓５自体が外れ難い。
【００３０】
（２）尻栓側装着機構として更に別の実施構造を説明する。基本構造は、図３に示す構造を維持する。つまり、口栓５の小径の尻栓用取付部５Ｃとしての雄ネジ部５ａを、尻栓７の内側本体部７Ａの雌ネジ部７ａに螺合させ構成は維持する。そして、更に、口栓５を装着した状態で、図５（ａ）（ｂ）では、内側本体部７Ａの雌ネジ部７ａを形成した部分より後端側に位置する部分の内周面７Ｃと口栓５の竿先用装着部５Ｂとの間にある間隙を無くして、内側本体部７Ａの雌ネジ部７ａを形成した部分より後端側に位置する部分の内周面７Ｃと口栓５の竿先用装着部５Ｂの外周面とを圧接させて、螺合状態に対する緩み止め機能を持たせる。
口栓５の竿先用装着部５Ｂの外周面には、図５（ｂ）に示すように、ギヤ状の歯部５ｂを複数個形成し、歯部５ｂの外周面が内側本体部７Ａの雌ネジ部７ａを形成した部分より後端側に位置する部分の内周面７Ｃに圧接した状態で、歯部５ｂが少し撓み易い状態を得て、緩み止め効果を発揮させる構成をとることができる。
【００３１】
（３）前記した実施形態では、渓流竿Ａについて説明したが、小径側竿体が７本から９本にもなる鮎竿に適用することが可能である。
（４）糸連結具６としては、リリアンを利用してもよい。
【産業上の利用可能性】
【００３２】
本願発明は、渓流竿や鮎竿において、口栓の仕舞を良好に行えながら、バランスウエイトとしても有効な機構を備えるものを提案する。
【符号の説明】
【００３３】
１              穂先竿
２ａ            二番竿
２ｂ            三番竿
３              元上竿
４              元竿
４Ａ            取付面
４Ｂ            鍔体
４ａ            雌ねじ式の装着部
５              栓体（口栓）
５Ａ            摘まみ操作部
５Ｂ            竿先用装着部
５Ｃ            尻栓用取付部
５Ｄ            凹入部
５Ｅ            係合ピン
５ａ            雄ネジ部
５ｂ            歯部
６              糸連結具
７              尻栓
７Ａ            内側本体部
７Ｂ            摘み部
７Ｃ            内周面
７ａ            雌ネジ部
７ｂ            雄ネジ部
７ｄ            螺旋溝
７ｅ            入口
８              保持リング
９              受け止めディスク
Ａ              渓流竿
ａ              釣り糸
ｂ              Ｏリング
ｃ              前空間
ｄ              後空間
【図１】
2018078851.tif 000003
【図２】
2018078851.tif 000004
【図３】
2018078851.tif 000005
【図４】
2018078851.tif 000006
【図５】
2018078851.tif 000007
【図６】
2018078851.tif 000008